(57)【特許請求の範囲】
【請求項１】
複数の部屋の換気を行い、前記複数の部屋から排気される排気空気中のＣＯ２濃度を計測するＣＯ２センサを備えた換気装置と、
前記複数の部屋の各々に設置され、在室者を検知する複数の人検知手段とを有し、
前記換気装置は、前記ＣＯ２センサによって計測したＣＯ２濃度と、前記複数の人検知手段の検知結果とに基づいて、前記複数の部屋の各々のＣＯ２濃度を推定する制御装置を備えることを特徴とする換気制御システム。
【請求項２】
前記人検知手段は、人感センサ又は人感センサを搭載した機器であることを特徴とする請求項１に記載の換気制御システム。
【請求項３】
前記制御装置は、前記人検知手段が在室者を検知しなくなってから一定時間の間は、在室者がいるとみなして前記複数の部屋それぞれのＣＯ２濃度を推定することを特徴とする請求項１又は２に記載の換気制御システム。
【請求項４】
前記ＣＯ２センサによって計測したＣＯ２濃度は、複数回の計測値の平均値であることを特徴とする請求項１から３のいずれか１項に記載の換気制御システム。
【請求項５】
前記制御装置は、前記人検知手段が在室者を検知しない部屋のＣＯ２濃度を、屋外のＣＯ２濃度と推定することを特徴とする請求項１から４のいずれか１項に記載の換気制御システム。
【請求項６】
前記人検知手段が在室者を検知しない部屋のＣＯ２濃度を、予め設定されたＣＯ２濃度であると推定することを特徴とする請求項１から４のいずれか１項に記載の換気制御システム。
【請求項７】
前記制御装置は、前記複数の部屋の全てで前記人検知手段が一定時間在室者を検知しないときに、前記複数の部屋の各々のＣＯ２濃度が、前記ＣＯ２センサによって計測したＣＯ２濃度であると推定することを特徴とする請求項１から４のいずれか１項に記載の換気制御システム。
【請求項８】
前記制御装置は、予め設定された前記複数の部屋の各々から排気される排気空気の体積と、前記ＣＯ２センサによって計測したＣＯ２濃度と、前記人検知手段の検知結果とに基づいて、前記複数の部屋のＣＯ２濃度を推定することを特徴とする請求項１から７のいずれか１項に記載の換気制御システム。
【請求項９】
前記制御装置は、前記複数の部屋の各々に設置された電気機器から情報を受信し、受信した情報に基づいて推定した前記複数の部屋の各々から排気される排気空気の体積と、前記ＣＯ２センサによって計測したＣＯ２濃度と、前記人検知手段の検知結果とに基づいて、前記複数の部屋の各々のＣＯ２濃度を推定することを特徴とする請求項１から７のいずれか１項に記載の換気制御システム。
【請求項１０】
前記電気機器は、空気調和機であり、前記制御装置は、前記空気調和機の冷房能力又は暖房能力の情報を前記空気調和機から受信することを特徴とする請求項９に記載の換気制御システム。
【請求項１１】
前記電気機器は、照明機器であり、前記制御装置は、前記照明機器の消費電力の情報を前記照明機器から受信することを特徴とする請求項９に記載の換気制御システム。
【請求項１２】
前記制御装置は、推定した前記複数の部屋の各々のＣＯ２濃度のうち、最も濃度が高い部屋のＣＯ２濃度に基づいて前記換気装置を制御することを特徴とする請求項１から１１のいずれか１項に記載の換気制御システム。
【請求項１３】
複数の部屋からの排気が混合される箇所におけるＣＯ２濃度をＣＯ２センサで測定するステップと、
前記複数の部屋の各々に設置された、在室者を検知する複数の人検知手段から検知結果を制御装置が受信するステップと、
前記複数の部屋の各々から排気される排気空気の体積の情報を前記制御装置が収集するステップと、
前記ＣＯ２センサで計測したＣＯ２濃度と、前記人検知手段の検知結果と、前記排気空気の体積の情報とから、前記複数の部屋の各々のＣＯ２濃度を前記制御装置が推定するステップとを備えたことを特徴とする二酸化炭素濃度推定方法。
【発明の詳細な説明】
【技術分野】
【０００１】
本発明は、換気対象空間の換気を行う換気制御システム及び二酸化炭素濃度推定方法に関する。
【背景技術】
【０００２】
ビルディングを始めとする建築物は、法令により室内の二酸化炭素含有率の基準、すなわち二酸化炭素濃度の基準が定められている。以下、二酸化炭素をＣＯ２ともいう。この基準を満たすためには、ＣＯ２濃度に合わせて換気量を変更する必要があるため、換気制御システムは、室内の空気を室外へ排出するための送風機と、室内のＣＯ２濃度を検出するＣＯ２センサとを備えている。【０００３】
特許文献１に開示される換気制御システムは、換気装置、人の存否を検知可能な人感センサ、及びＣＯ２濃度を検知可能なＣＯ２センサと、制御装置とから構成される。特許文献１に開示される換気制御システムにおいて、換気装置、人感センサ及びＣＯ２センサは一つの空間に設置される。特許文献１に開示される換気制御システムの制御装置は、ＣＯ２センサからの出力信号が閾値未満のＣＯ２濃度を示すとき、人感センサの出力信号に基づいて換気装置の換気量が切り替わるように換気装置を制御する。
【先行技術文献】
【特許文献】
【０００４】
【特許文献１】特許第５９９９３５３号公報
【発明の概要】
【発明が解決しようとする課題】
【０００５】
しかしながら、特許文献１に開示される換気制御システムは、換気装置、人感センサ及びＣＯ２センサを各部屋に設置する必要がある。このため、複数の部屋を一つの換気装置で換気することが求められる場合に、複数の部屋のうちの一つ、又は換気装置の吸い込み口にＣＯ２センサを設置すると、各部屋のＣＯ２濃度を監視することができず、換気不足によるＣＯ２濃度上昇が起こる可能性があった。【０００６】
本発明は、上記に鑑みてなされたものであって、換気不足によるＣＯ２濃度上昇を防止しながら一つの換気装置で複数の部屋を換気できる換気制御システムを得ることを目的とする。
【課題を解決するための手段】
【０００７】
上述した課題を解決し、目的を達成するために、本発明は、複数の部屋の換気を行い、複数の部屋から排気される排気空気中のＣＯ２濃度を計測するＣＯ２センサを備えた換気装置と、複数の部屋の各々に設置され、在室者を検知する複数の人検知手段とを有する。換気装置は、ＣＯ２センサによって計測したＣＯ２濃度と、複数の人検知手段の検知結果とに基づいて、複数の部屋の各々のＣＯ２濃度を推定する制御装置を備える。
【発明の効果】
【０００８】
本発明に係る換気制御システムは、換気不足によるＣＯ２濃度上昇を防止しながら一つの換気装置で複数の部屋を換気できるという効果を奏する。
【図面の簡単な説明】
【０００９】
【図１】本発明の実施の形態１に係る換気制御システムの配線を示す図
【図２】実施の形態１に係る換気制御システムの配管を示す図
【図３】実施の形態１に係る換気制御システムの換気装置の構成を示す図
【図４】実施の形態１に係る換気制御システムの制御装置の機能ブロック図
【図５】実施の形態１に係る換気制御システムによる二酸化炭素濃度推定方法の処理の流れを示すフローチャート
【図６】実施の形態１に係る換気制御システムの制御部の機能をハードウェアで実現した構成を示す図
【図７】実施の形態１に係る換気制御システムの制御部の機能をソフトウェアで実現した構成を示す図
【発明を実施するための形態】
【００１０】
以下に、本発明の実施の形態に係る換気制御システム及び二酸化炭素濃度推定方法を図面に基づいて詳細に説明する。なお、この実施の形態によりこの発明が限定されるものではない。
【００１１】
実施の形態１．
図１は、本発明の実施の形態１に係る換気制御システムの配線を示す図である。実施の形態１に係る換気制御システム５０は、換気装置１、空気調和機５、リモートコントローラ６及び照明機器７を有する。部屋４ａには、室内の温度調整を行う空気調和機５が設置されている。部屋４ｂには、空気調和機５を操作するためのリモートコントローラ６が設置されている。また、部屋４ｃには、照明機器７が設置されている。換気装置１は、接続線８を介して空気調和機５と接続されている。また、換気装置１は、接続線９を介してリモートコントローラ６と接続されている。また、換気装置１は、接続線１０を介して照明機器７と接続されている。
【００１２】
図２は、実施の形態１に係る換気制御システムの配管を示す図である。実施の形態１に係る換気制御システム５０において、換気装置１は屋外の新鮮な外気を取り込んで、複数の部屋４ａ，４ｂ，４ｃへ供給するための給気用ダクト配管２によって部屋４ａ，４ｂ，４ｃと接続されている。また、換気装置１は部屋４ａ，４ｂ，４ｃ内の空気を取り込んで、屋外へ排気するための排気用ダクト配管３によって部屋４ａ，４ｂ，４ｃと接続されている。
【００１３】
空気調和機５には、室内に人がいるか否かを検知する人検知手段である人感センサが搭載されている。空気調和機５は、人感センサによって検知された存否情報に基づいて、空気調和機５の運転停止又は設定温度を制御することができる。例えば、空気調和機５は、冷房運転中に、一定時間の間、存否情報が「不在」になった場合に冷房運転を停止させたり、冷房設定温度を一定温度だけ上げたりするなどの制御を行い、省エネルギーを図ることができる。
【００１４】
空気調和機５に搭載された人感センサによって検知された存否情報は、接続線８を通じて空気調和機５から換気装置１へ送られる。存否情報は、通信信号又は電圧信号とされて接続線８を伝送される。なお、換気装置１と空気調和機５とは、無線通信によって接続されてもよい。
【００１５】
リモートコントローラ６には、室内に人がいるか否かを検知する人検知手段である人感センサが搭載されている。リモートコントローラ６は、人感センサによって検知された存否情報によって、空気調和機５などの機器の運転停止又は設定温度を制御することができる。例えば、空気調和機５が暖房運転中に、一定時間の間、存否情報が「不在」になった場合に空気調和機５を停止させたり、暖房設定温度を一定温度だけ下げたりするなどの制御を行い、省エネルギーを図ることができる。
【００１６】
リモートコントローラ６に搭載された人感センサによって検知された存否情報は、接続線９を通じてリモートコントローラ６から換気装置１へ送られる。存否情報は、通信信号又は電圧信号とされて接続線９を伝送される。なお、換気装置１とリモートコントローラ６とは、無線通信によって接続されてもよい。
【００１７】
照明機器７には、室内に人がいるか否かを検知する人検知手段である人感センサが搭載されている。照明機器７は、人感センサによって検知された存否情報によって、照明機器７のオンオフ又は照度を制御することができる。例えば、照明がオフのときに、存否情報が「在室」になった場合に照明をオンすることができる。また、照明がオンのときに、一定時間の間、存否情報が「不在」になった場合に照明をオフすることができる。
【００１８】
照明機器７に搭載された人感センサによって検知された存否情報は、接続線１０を通じて照明機器７から換気装置１へ送られる。存否情報は、通信信号又は電圧信号とされて接続線１０を伝送される。なお、換気装置１と照明機器７とは、無線通信によって接続されてもよい。
【００１９】
また、人の存否を検知できる人検知手段を有する機器は、例えばカードキーによる建物又は部屋４ａ，４ｂ，４ｃへの人の入退室を管理するセキュリティシステムであってもよい。セキュリティシステムと換気装置１とは有線又は無線通信によって接続され、セキュリティシステムが持つ入退室情報を、セキュリティシステムから換気装置１へ伝達することができる。
【００２０】
なお、換気装置１は、人感センサ又はカードリーダを搭載した機器から存否情報を得るのではなく、人感センサ単品を部屋４ａ，４ｂ，４ｃに設置し、人感センサそのものから存否情報を収集することも可能である。また、人の存否を検知することができる装置であれば、人感センサとして利用可能である。
【００２１】
図３は、実施の形態１に係る換気制御システムの換気装置の構成を示す図である。換気装置１は、本体箱体１１に、熱交換器１２と、排気用送風機１３と給気用送風機１４とが組み込まれている。給気用送風機１４は給気風路１５内に配置されており、室外側吸込口ＯＡから熱交換器１２を通り、複数の室内にある室内側吐出口ＳＡへ空気を供給する。排気用送風機１３は排気風路１６内に配置されており、複数の室内にある室内側吸込口ＲＡから熱交換器１２を通り、室外側吐出口ＥＡへ空気を排出する。換気装置１は、供給する空気と排出する空気との間での熱交換を熱交換器１２によって行う。
【００２２】
室外側吸込口ＯＡから換気装置１までは外気側ダクト１７によって接続されている。換気装置１から複数の室内側吐出口ＳＡまでは給気側ダクト１８によって接続されている。複数の室内側吸込口ＲＡから換気装置１までは室内側ダクト１９によって接続されている。換気装置１から室外側吐出口ＥＡまでは排気側ダクト２０によって接続されている。図３では省略しているが、給気側ダクト１８は、複数の室内側吐出口ＳＡに接続するため、途中で分岐している。同様に、図３では省略しているが、室内側ダクト１９は、複数の室内側吸込口ＲＡに接続するため、途中で分岐している。外気側ダクト１７及び給気側ダクト１８は、給気用ダクト配管２である。室内側ダクト１９及び排気側ダクト２０は、排気用ダクト配管３である。
【００２３】
換気装置１内の排気風路１６には、排気風路１６内のＣＯ２濃度を計測するためのＣＯ２センサ２１が配置されている。排気風路１６内のＣＯ２濃度は、部屋４ａ，４ｂ，４ｃからの排気空気が混合された混合空気のＣＯ２濃度である。すなわち、部屋４ａ，４ｂ，４ｃから排気される排気空気の合計体積中に含まれるＣＯ２ガスの合計体積を表している。
【００２４】
排気用送風機１３及び給気用送風機１４は、制御装置２２により独立に駆動制御される。制御装置２２は、ＣＯ２センサ２１に接続されており、ＣＯ２センサ２１が計測したＣＯ２濃度情報を取得することができる。換気装置１の操作及び状態確認は、制御装置２２に接続された操作装置２３から行う。
【００２５】
図４は、実施の形態１に係る換気制御システムの制御装置の機能ブロック図である。図４に示すように、制御装置２２は、商用電源３１に接続される電源回路３２を備える。電源回路３２は、制御部３３及び各回路に電力を供給する。
【００２６】
換気装置１には、運転状態、排気用送風機１３の動作風量及び給気用送風機１４の動作風量などの情報の表示、運転停止操作、並びに排気用送風機１３及び給気用送風機１４の動作ノッチの設定が可能な操作装置２３が接続される。操作装置２３は、操作装置通信回路３７を介して制御部３３に接続される。
【００２７】
排気風路１６に配置されたＣＯ２センサ２１は、ＣＯ２濃度を計測しＣＯ２濃度信号を出力する。ＣＯ２センサ２１は、ＣＯ２濃度信号を受信するためのＣＯ２センサ信号受信回路３６を介して制御部３３へ接続される。
【００２８】
また、制御装置２２には、在否情報又はＣＯ２濃度に基づいて排気用送風機１３又は給気用送風機１４の運転ノッチを設定するためのスイッチなどを備えた機能設定回路４０が設けられている。
【００２９】
制御部３３は、ＣＯ２センサ信号受信回路３６、操作装置通信回路３７、在否情報受信回路３８及び機能設定回路４０からの信号を受けて、給気用送風機１４を駆動するための給気用送風機駆動回路３４への駆動指令の出力と、排気用送風機１３を駆動するための排気用送風機駆動回路３５への駆動指令の出力とを行うことができる。
【００３０】
制御部３３は、ＣＯ２センサ２１で検知したＣＯ２濃度又は各部屋４ａ，４ｂ，４ｃのＣＯ２濃度に応じて、給気用送風機１４を駆動するための給気用送風機駆動回路３４への駆動指令の出力と、排気用送風機１３を駆動するための排気用送風機駆動回路３５への駆動指令の出力とを行う。ここで、制御部３３は、部屋４ａ，４ｂ，４ｃのうちＣＯ２濃度が最も高い部屋のＣＯ２濃度が８００ｐｐｍ以上であれば、排気用送風機１３及び給気用送風機１４を強運転させるものとする。また、制御部３３は、部屋４ａ，４ｂ，４ｃのうちＣＯ２濃度が最も高い部屋のＣＯ２濃度が５００ｐｐｍ以上８００ｐｐｍ未満であれば、排気用送風機１３及び給気用送風機１４を弱運転させるものとする。また、制御部３３は、部屋４ａ，４ｂ，４ｃのうちＣＯ２濃度が最も高い部屋のＣＯ２濃度が５００ｐｐｍ未満であれば、排気用送風機１３及び給気用送風機１４を微弱運転させるものとする。
【００３１】
次に、制御部３３による各部屋４ａ，４ｂ，４ｃのＣｏ２濃度を推定する処理について説明する。以下の説明の例では、部屋４ａの在否情報は「在室」、部屋４ｂの在否情報は「不在」、部屋４ｃの在否情報は「在室」とし、排気風路１６内のＣＯ２濃度は、８００ｐｐｍとする。
【００３２】
部屋４ａ，４ｂ，４ｃの各々から排気される空気の１時間当たりの体積を１００ｍ３／ｈとすると、換気装置１によって屋外へ排出される排気空気は、部屋４ａ，４ｂ，４ｃから排気される空気の１時間当たりの体積の合計である３００ｍ３／ｈとなる。よって、換気装置１によって屋外へ排出される排気空気中に含まれるＣＯ２ガス量は、３００[ｍ３／ｈ]×８００[ｐｐｍ]＝３００[ｍ３／ｈ]×８００÷１００００００＝０．２４[ｍ３／ｈ]となる。
【００３３】
次に、部屋４ａ，４ｂ，４ｃの排気空気に含まれるＣＯ２ガス量を求める。部屋４ｂは、在否情報が「不在」のため、部屋４ｂには人が在室していない。部屋４ｂは、在室者がいないにも関わらず換気装置１による換気が行われていることから、排気空気のＣＯ２濃度は、屋外の大気中のＣＯ２濃度と同等となる。一般的に、大気中のＣＯ２濃度は、約４００ｐｐｍであるため、部屋４ｂからの排気空気に含まれるＣＯ２ガス量は、１００［ｍ３／ｈ］×４００［ｐｐｍ］＝１００［ｍ３／ｈ］×４００÷１００００００＝０．０４［ｍ３／ｈ］となる。
【００３４】
部屋４ａ及び部屋４ｃは、在否情報がともに「在室」のため、部屋４ａ及び部屋４ｃには人が在室している。在室者がいる場合、人間の呼気によって室内のＣＯ２濃度は大気中のＣＯ２濃度よりも上昇する。したがって、部屋４ａ，４ｃのＣＯ２濃度は、「換気装置１から排出される排気空気中に含まれるＣＯ２ガス量」と、「部屋４ｂから排出される排気空気中に含まれるＣＯ２ガス量」とから推定する。
【００３５】
まず、部屋４ａ及び部屋４ｃに在室する人数が同等とし、部屋４ａ及び部屋４ｃから排出される排気空気中に含まれるＣＯ２ガス量を同等とする。これより、部屋４ａから排出される排気空気中に含まれるＣＯ２ガス量は、（「換気装置１から排出される排気空気中に含まれるＣＯ２ガス量」−「部屋４ｂから排出される排気空気中に含まれるＣＯ２ガス量」）÷「在室の部屋４ａ，４ｃから排気される排気空気の体積の合計」×「部屋４ａから排気される排気空気の体積」＝（０．２４−０．０４）÷２００×１００＝０．１［ｍ３／ｈ］となる。これよりＣＯ２濃度を算出すると、ＣＯ２濃度＝ＣＯ２ガス量÷排気空気の体積＝０．１［ｍ３／ｈ］÷１００［ｍ３／ｈ］＝１０００ｐｐｍとなる。部屋４ｃのＣＯ２濃度も、同様に１０００ｐｐｍとなる。
【００３６】
部屋４ａ，４ｃのＣＯ２濃度が１０００ｐｐｍであるため、制御装置２２は、給気用送風機１４及び排気用送風機１３を強運転で動作させる。
【００３７】
図５は、実施の形態１に係る換気制御システムによる二酸化炭素濃度推定方法の処理の流れを示すフローチャートである。ＣＯ２濃度推定処理を開始すると、ステップＳ１０１において制御装置２２は、排気風路１６に配置されたＣＯ２センサ２１によるＣＯ２濃度情報を受信する。なお、過去の一定期間に受信したＣＯ２濃度の平均を取ることで、ノイズなどによる異常値を除去又は抑制してもよい。すなわち、ＣＯ２センサ２１によって計測したＣＯ２濃度は、複数回の計測値の平均値であってもよい。制御装置２２は、ステップＳ１０１で得たＣＯ２濃度情報を用いて、以降の各部屋のＣＯ２濃度推定処理を行う。ステップＳ１０１で得られたＣＯ２濃度が異常値であれば、図５には記載しないが、センサ異常として以降の推定処理を中止してもよい。異常値は、ＣＯ２が検出されず０ｐｐｍである場合、及び一般的な大気中のＣＯ２濃度である４００ｐｐｍと比べて一桁以上大きい値である場合を例示できる。
【００３８】
ステップＳ１０２において、制御装置２２は、部屋４ａ，４ｂ，４ｃに設置された空気調和機５、リモートコントローラ６及び照明機器７から在否情報を受信する。制御装置２２は、ステップＳ１０２で得た在否情報を用いて、以降の部屋４ａ，４ｂ，４ｃのＣＯ２濃度推定処理を行う。なお、部屋４ａ，４ｂ，４ｃのいずれかで在否情報が「在室」から「不在」に変化したとき、室内のＣＯ２ガスがすぐには排出されず、推定値と実体値との誤差が大きくなる恐れがあるため、在否情報が「在室」から「不在」に変化してから一定時間の間は「在室」であるとみなして部屋４ａ，４ｂ，４ｃのＣＯ２濃度推定処理を行ってもよい。すなわち、在室者を検知しなくなってから一定時間の間は、在室者がいるとみなして部屋４ａ，４ｂ，４ｃのＣＯ２濃度推定処理を行ってもよい。
【００３９】
ステップＳ１０３において、制御装置２２は、部屋４ａ，４ｂ，４ｃから換気装置１によって排気される排気空気の体積を設定する。ここで部屋４ａ，４ｂ，４ｃの高さ及び床面積が同等であれば、排気空気の体積を同じ体積とみなしてもよい。また部屋４ａ，４ｂ，４ｃの高さ及び床面積の少なくとも一方が異なる場合は、排気空気の体積を部屋４ａ，４ｂ，４ｃに個別に設定してもよい。部屋４ａ，４ｂ，４ｃから排気される排気空気の体積は、機能設定回路４０で設定してもよい。また、部屋４ａ，４ｂ，４ｃから排気される排気空気の体積は、空気調和機５の冷房能力又は暖房能力から設定できるようにしてもよい。すなわち、制御装置２２は、空気調和機５から冷房能力又は暖房能力の情報を受信し、受信した情報に基づいて、排気空気の体積を設定してもよい。
【００４０】
一般的に鉄筋コンクリート構造の建屋の場合、空気調和機５の冷房能力が５．６ｋＷの場合でおよそ３２ｍ２の広さの部屋を冷房可能である。日本国においては、１ｍ２当たりの在室人員を０．２人としたとき、１人当たりの必要換気量は２５から３０ｍ３／ｈと建築物衛生法で定められている。これより、空気調和機５の冷房能力１ｋＷあたりの必要換気量は、３２［ｍ２］÷５．６［ｋＷ］×０．２［人／ｍ２］×３０［ｍ３／ｈ／人］＝３４．３［ｍ３／ｈ］となる。
【００４１】
また、部屋４ａ，４ｂ，４ｃから排気される排気空気の体積は、各部屋に設置された照明機器の消費電力から設定できるようにしてもよい。すなわち、制御装置２２は、各部屋に設置された照明機器から消費電力の情報を受信し、受信した情報に基づいて、排気空気の体積を設定してもよい。一般的に床面積１６ｍ２の広さの部屋であれば、１００Ｗ程度の蛍光灯が必要である。したがって、照明機器１Ｗ当たりの必要換気量は、１６［ｍ２］÷１００［Ｗ］×０．２［人／ｍ２］×３０［ｍ３／ｈ／人］＝０．９６［ｍ３／ｈ］となる。制御装置２２は、ステップＳ１０３で得た各部屋から排気される排気空気の体積を用いて、以降の各部屋のＣＯ２濃度推定処理を行う。
【００４２】
ステップＳ１０４において、制御装置２２は、換気装置１によって屋外へ排気される排気空気中のＣＯ２ガス量を算出する。換気装置１によって排気される排気空気中のＣＯ２ガス量は、「換気装置１が排気できる排気空気の体積」と「ステップＳ１０１で得たＣＯ２濃度」との乗算で求められる。
【００４３】
ステップＳ１０５において、制御装置２２は、ステップＳ１０２で得た部屋４ａ，４ｂ，４ｃの在否情報から、不在となった部屋から排気される排気空気中のＣＯ２ガス量を算出する。不在となった部屋から排気される排気空気中のＣＯ２ガス量は、「大気中のＣＯ２濃度」と、「ステップＳ１０３で設定した部屋から排気される排気空気の体積」との乗算で算出される。
【００４４】
なお、大気中のＣＯ２濃度は、建物が幹線道路沿いにあるなど、ＣＯ２濃度が平均よりも高い環境にある場合も想定されるため、機能設定回路４０を用いて任意に設定できるようにしてもよい。また、部屋内の空気を入れ替えられる程度の時間、すべての部屋が不在となったときのＣＯ２濃度を大気中のＣＯ２濃度としてもよい。
【００４５】
ステップＳ１０６において、制御装置２２は、各部屋のうち、在否情報が「在室」となっている部屋から排気される排気空気の体積の合計を算出する。在室の部屋から排気される排気空気の容積の合計は、ステップＳ１０３で得た各部屋から排気される排気空気の体積を用いて算出される。
【００４６】
次に、在室となった部屋から排気される排気空気中のＣＯ２ガス量を算出するため、部屋ごとにステップＳ１０７からステップＳ１１１の処理を繰り返し行う。ここでは各部屋に部屋番号Ｎを割り当て、部屋４ａはＮ＝１、部屋４ｂはＮ＝２、部屋４ｃはＮ＝３とする。繰り返し処理では、Ｎを１から始めて、ステップＳ１０７からステップＳ１１２まで進んだら、Ｎを１だけ加算し、再びステップＳ１０７からステップＳ１１２までの処理を行う。Ｎが３のときに、ステップＳ１１２まで処理が進んだら、繰り返し処理を終了し、ＣＯ２濃度の推定処理を終了する。すなわち、変数Ｎについて、初期値１、終値３、増分１で繰り返し処理を行う。
【００４７】
ステップＳ１０７にて、繰り返し処理をスタートすると、ステップＳ１０８にて、制御装置２２は、部屋番号Ｎの部屋の在否情報が「在室」であるか否かを判定する。部屋番号Ｎの部屋の在否情報が「在室」であれば、ステップＳ１０８でＹｅｓとなり、処理はステップＳ１０９に進む。
【００４８】
ステップＳ１０９において、制御装置２２は、在室である部屋番号Ｎの部屋から排気される排気空気中のＣＯ２ガス量を算出する。なお、部屋番号Ｎの部屋から排気される排気空気中のＣＯ２ガス量は、「ステップＳ１０４で算出した換気装置１によって屋外に排気される排気空気中のＣＯ２ガス量」から「ステップＳ１０５で算出した不在の部屋から排気される排気空気中のＣＯ２ガス量」の積算値を減じた値を「ステップＳ１０６で算出した在室の部屋から排気される排気空気の体積の合計」で除算し、「ステップＳ１０３で設定した部屋から排気される排気空気の体積」を乗算することによって算出される。
【００４９】
ステップＳ１１０において、制御装置２２は、部屋番号Ｎの部屋から排気される排気空気中のＣＯ２濃度を算出する。部屋番号Ｎの部屋から排気される排気空気中のＣＯ２濃度は、「ステップＳ１０９で算出した部屋から排気される排気空気中のＣＯ２ガス量」を「ステップＳ１０３で設定した部屋から排気される排気空気の体積」で除することによって算出される。
【００５０】
一方、部屋番号Ｎの部屋の在否情報が「不在」であれば、ステップＳ１０８でＮｏとなり、ステップＳ１１１において、制御装置２２は、部屋番号Ｎの部屋のＣＯ２濃度を不在時のＣＯ２濃度に設定する。不在時のＣＯ２濃度は、大気中のＣＯ２濃度と同じ値に設定する。なお、部屋４ａ，４ｂ，４ｃの全てで一定時間在室者を検知しないときには、部屋４ａ，４ｂ，４ｃの各々のＣＯ２濃度を、ＣＯ２センサ２１によって計測したＣＯ２濃度であると推定してもよい。
【００５１】
ステップＳ１１２において、部屋番号Ｎの部屋についての処理が完了となり、Ｎを１加算した上で、再びステップＳ１０７からの処理を開始する。またＮが終値に到達した場合は、繰り返し処理を終了する。
【００５２】
各部屋のＣＯ２濃度推定処理の終了後には、排気用送風機１３及び給気用送風機１４の制御といった不図示の処理が実行される。これらの処理の後、ＣＯ２濃度推定処理は繰り返し行われる。
【００５３】
換気装置１の排気風路１６上に配置されたＣＯ２センサ２１だけでは、各部屋のＣＯ２濃度を検出することはできないが、各部屋に設置された人感センサと組み合わせて上記の動作を行うことで、各部屋のＣＯ２濃度を推定することができる。これにより、特定の部屋で換気不足によってＣＯ２濃度が上昇することを防止することができる。
【００５４】
上記の説明においては、空気調和機５、リモートコントローラ６及び照明機器７に人感センサが搭載されていたが、人感センサを単独で各部屋に設置してもよい。
【００５５】
上記の実施の形態１に係る換気制御システム５０の制御部３３の機能は、処理回路により実現される。処理回路は、専用のハードウェアであっても、記憶装置に格納されるプログラムを実行する処理装置であってもよい。
【００５６】
処理回路が専用のハードウェアである場合、処理回路は、単一回路、複合回路、プログラム化したプロセッサ、並列プログラム化したプロセッサ、特定用途向け集積回路、フィールドプログラマブルゲートアレイ、又はこれらを組み合わせたものが該当する。図６は、実施の形態１に係る換気制御システムの制御部の機能をハードウェアで実現した構成を示す図である。処理回路２９には、制御部３３の機能を実現する論理回路２９ａが組み込まれている。
【００５７】
処理回路２９が処理装置の場合、制御部３３の機能は、ソフトウェア、ファームウェア、又はソフトウェアとファームウェアとの組み合わせにより実現される。
【００５８】
図７は、実施の形態１に係る換気制御システムの制御部の機能をソフトウェアで実現した構成を示す図である。処理回路２９は、プログラム２９ｂを実行するプロセッサ２９１と、プロセッサ２９１がワークエリアに用いるランダムアクセスメモリ２９２と、プログラム２９ｂを記憶する記憶装置２９３を有する。記憶装置２９３に記憶されているプログラム２９ｂをプロセッサ２９１がランダムアクセスメモリ２９２上に展開し、実行することにより、制御部３３の機能が実現される。ソフトウェア又はファームウェアはプログラム言語で記述され、記憶装置２９３に格納される。プロセッサ２９１は、中央処理装置を例示できるがこれに限定はされない。記憶装置２９３は、ＲＡＭ（Random  Access  Memory）、ＲＯＭ（Read  Only  Memory）、フラッシュメモリー、ＥＰＲＯＭ（Erasable  Programmable  Read  Only  Memory）、又はＥＥＰＲＯＭ（登録商標）（Electrically  Erasable  Programmable  Read  Only  Memory）といった半導体メモリを適用できる。半導体メモリは、不揮発性メモリでもよいし揮発性メモリでもよい。また記憶装置２９３は、半導体メモリ以外にも、磁気ディスク、フレキシブルディスク、光ディスク、コンパクトディスク、ミニディスク又はＤＶＤ（Digital  Versatile  Disc）を適用できる。なお、プロセッサ２９１は、演算結果といったデータを記憶装置２９３に出力して記憶させてもよいし、ランダムアクセスメモリ２９２を介して不図示の補助記憶装置に当該データを記憶させてもよい。プロセッサ２９１、ランダムアクセスメモリ２９２及び記憶装置２９３を１チップに集積することにより、制御部３３の機能をマイクロコンピュータにより実現することができる。
【００５９】
処理回路２９は、記憶装置２９３に記憶されたプログラム２９ｂを読み出して実行することにより、制御部３３の機能を実現する。プログラム２９ｂは、制御部３３の機能を実現する手順及び方法をコンピュータに実行させるものであるとも言える。
【００６０】
なお、処理回路２９は、制御部３３の機能の一部を専用のハードウェアで実現し、制御部３３の機能の一部をソフトウェア又はファームウェアで実現するようにしてもよい。
【００６１】
このように、処理回路２９は、ハードウェア、ソフトウェア、ファームウェア、又はこれらの組み合わせによって、上述の各機能を実現することができる。
【００６２】
以上の実施の形態に示した構成は、本発明の内容の一例を示すものであり、入退室管理などによる在否情報など、他の在否情報を検知する手段を搭載する別の公知の技術と組み合わせることも可能であるし、本発明の要旨を逸脱しない範囲で、構成の一部を省略、変更することも可能である。
【００６３】
また、上記実施の形態では、換気装置１におけるＣＯ２濃度、部屋４ａ，４ｂ，４ｃの在否情報及び部屋４ａ，４ｂ，４ｃからの排気空気の容積情報から、部屋４ａ，４ｂ，４ｃのＣＯ２濃度を推定する換気制御システム５０について説明したが、ここで説明した手順は、二酸化炭素濃度推定方法としてさまざまな場面において活用可能であり、換気制御以外の用途にも有効である。
【符号の説明】
【００６４】
１  換気装置、２  給気用ダクト配管、３  排気用ダクト配管、４ａ，４ｂ，４ｃ  部屋、５  空気調和機、６  リモートコントローラ、７  照明機器、８，９，１０  接続線、１１  本体箱体、１２  熱交換器、１３  排気用送風機、１４  給気用送風機、１５  給気風路、１６  排気風路、１７  外気側ダクト、１８  給気側ダクト、１９  室内側ダクト、２０  排気側ダクト、２１  ＣＯ２センサ、２２  制御装置、２３  操作装置、２９  処理回路、２９ａ  論理回路、２９ｂ  プログラム、３１  商用電源、３２  電源回路、３３  制御部、３４  給気用送風機駆動回路、３５  排気用送風機駆動回路、３６  ＣＯ２センサ信号受信回路、３７  操作装置通信回路、３８  在否情報受信回路、４０  機能設定回路、５０  換気制御システム、２９１  プロセッサ、２９２  ランダムアクセスメモリ、２９３  記憶装置。
【図１】
0006987277.tif 000002
【図２】
0006987277.tif 000003
【図３】
0006987277.tif 000004
【図４】
0006987277.tif 000005
【図５】
0006987277.tif 000006
【図６】
0006987277.tif 000007
【図７】
0006987277.tif 000008